(57)【要約】【課題】美観や清潔感に優れ、使用済みのティッシュペーパーの廃棄が容易であるゴミ箱付ティッシュボックスケースを提供することである。【解決手段】本考案のゴミ箱付ティッシュボックスケース１は、ティッシュボックス１００をティッシュペーパー取出口１０１が上方を向くようにして収容するティッシュボックスケース部１０と、ティッシュボックスケース部１０に隣接して設けられた使用済みのティッシュペーパー１０３を収容するためのゴミ箱部２０とから構成される。ゴミ箱部２０の上端には、開口を開閉自在な蓋体３０が、樹脂ヒンジ３１を介して接続され、蓋体３０の先端には長側板１２のティッシュボックスケース部１０側の面１２ａに接触可能な接触体３３が接続され、全体がプラスチックで構成されている。ゴミ箱部２０がゴミで一杯になっても、接触体３３が長側板１２の面１２ａに接触しているため、蓋体３０がゴミ箱部２０の上端から離れることがない。【選択図】図２
0003151496.tif 000002
【実用新案登録請求の範囲】
【請求項１】
ティッシュペーパーが収納されたティッシュボックスをティッシュペーパー取出口が上方を向くようにして収容するための、上面が開口した容器形状を有するティッシュボックスケース部と、
使用済みのティッシュペーパーを収容するための、上面が開口した容器形状を有するゴミ箱部と
を備え、前記ティッシュボックスケース部と前記ゴミ箱部とが互いの側部で一体化されており、前記ゴミ箱部の開口が前記ティッシュボックスケース部の開口より高い位置に設けられているゴミ箱付ティッシュボックスケースであって、
前記ゴミ箱部の上端に、前記ゴミ箱部の開口を開閉自在な蓋体がヒンジを介して接続されており、
前記蓋体の先端に、前記蓋体が前記ゴミ箱部の開口を覆っている状態で前記ゴミ箱部の側部の外面に接触する接触体が接続されている
ことを特徴とするゴミ箱付ティッシュボックスケース。
【請求項２】
全体がプラスチックで構成されており、
前記ティッシュボックスケース部が、長方形形状を有する底板と、該底板の一対の短辺のうちの一方から上方に向かって前記ティッシュボックスの高さの略２倍の高さまで伸びる長側板と、前記底板の残りの３辺から上方に向かって前記ティッシュボックスの高さと略等しいかこれより低い高さまで伸びる３枚の側板とで形成されており、
前記ゴミ箱部が、前記長側板と、前記ティッシュボックスケース部の底板と同一平面内に在り、長方形形状を有し、且つ前記長側板の下辺を長方形の一対の長辺のうちの一方とする底板と、該底板の前記長側板の下辺を除く３辺から上方に向かって前記長側板と同じ高さまで伸びる３枚の側板とで形成されており、
前記蓋体が、前記ゴミ箱部の長側板に対向する側板の上端に樹脂ヒンジを介して接続されており、
前記接触体が、前記蓋体が前記ゴミ箱部の開口を覆っている状態で前記長側板のティッシュボックスケース部側の面に接触する、請求項１に記載のゴミ箱付ティッシュボックスケース。
【考案の詳細な説明】
【技術分野】
【０００１】
本考案は、ティッシュペーパーが収納されたティッシュボックスを収容するティッシュボックスケース部と使用済みのティッシュペーパーを収容するゴミ箱部とを有するゴミ箱付ティッシュボックスケースに関する。
【背景技術】
【０００２】
近年、ティッシュペーパーが折り畳まれて収容されたティッシュボックスが広く普及しており、一般家庭においてもいくつものティッシュボックスが同時に使用されている。ティッシュペーパーを使用する際には、ティッシュボックスの上面に設けられたティッシュペーパー取出口からティッシュペーパーを引き出して使用し、使用済みのティッシュペーパーは、ティッシュボックスとは別に設けられたゴミ箱に廃棄するのが一般的である。
【０００３】
しかしながら、ゴミ箱がティッシュボックスと分離して設けられていると、使用済みのティッシュペーパーを廃棄するためにゴミ箱の位置まで移動しなければならず、ゴミ箱がティッシュボックスの位置から遠く離れている場合や、病気などであまり動けないような場合には、極めて不便である。
【０００４】
このような不便を解消するために、使用中のティッシュボックスを収容するティッシュボックスケース部と使用済みのティッシュペーパーを収容するゴミ箱部とを一体化したゴミ箱付ティッシュボックスケースが提案されている。
【０００５】
例えば、特許文献１（実開平１−８５３０１号公報）は、ゴミ容器(ゴミ箱部)の側面にティッシュボックスを収納する囲い部（ティッシュボックスケース部）を設けたゴミ箱付ティッシュボックスケースを開示している。
【０００６】
また、特許文献２（実登第３１１３２８５号公報）は、空になったティッシュボックスの上に使用中のティッシュボックスを重ねて収容するゴミ箱付ティッシュボックスケースを開示している。このゴミ箱付ティッシュボックスケースでは、ティッシュボックスの空箱をゴミ箱部として使用し、使用中のティッシュボックスをスライド移動させて使用済みのティッシュペーパーを空箱内に廃棄し、廃棄した後は使用中のティッシュボックスを再び元の位置までスライド移動させる。
【先行技術文献】
【特許文献】
【０００７】
【特許文献１】実開平１−８５３０１号公報
【特許文献２】実登第３１１３２８５号公報
【考案の概要】
【考案が解決しようとする課題】
【０００８】
しかしながら、特許文献１のゴミ箱付ティッシュボックスケースによると、使用済みのティッシュペーパーのゴミ箱部への廃棄は容易であるものの、ゴミ箱部に捨てられた使用済みティッシュペーパーが露呈するため、美観や清潔感に劣り、また、ゴミ箱部から発生する臭気の問題も存在する。
【０００９】
また、特許文献２のゴミ箱付ティッシュボックスケースでは、空箱（ゴミ箱部）に廃棄された使用済みティッシュペーパーが露呈することはないが、使用済みのティッシュペーパーを廃棄する度に、使用中のティッシュボックスをスライド移動させ、その後に元の位置まで復帰させなければならず、手間である。また、一般に、ティッシュボックスの空箱が使用済みのティッシュペーパーで一杯になる速度は、使用中のティッシュボックスが空になるまでの速度より速いため、使用済みのティッシュペーパーで一杯になったティッシュボックスから内容物を取り出して再び空にするのが手間であり、或いは、ティッシュボックスの空箱を効率よく入手するのが困難である。
【００１０】
そこで、本考案の目的は、美観や清潔感に優れ、臭気の発生が抑制され、使用済みのティッシュペーパーのゴミ箱部への廃棄が容易であり、使用済みのティッシュペーパーで一杯になったゴミ箱部から内容物を取り出して再び空にするのも容易である、ゴミ箱付ティッシュボックスケースを提供することである。
【課題を解決するための手段】
【００１１】
上記目的は、ティッシュペーパーが収納されたティッシュボックスをティッシュペーパー取出口が上方を向くようにして収容するための、上面が開口した容器形状を有するティッシュボックスケース部と、使用済みのティッシュペーパーを収容するための、上面が開口した容器形状を有するゴミ箱部とを備え、上記ティッシュボックスケース部と上記ゴミ箱部とが互いの側部で一体化されており、上記ゴミ箱部の開口が上記ティッシュボックスケース部の開口より高い位置に設けられているゴミ箱付ティッシュボックスケースであって、上記ゴミ箱部の上端に、上記ゴミ箱部の開口を開閉自在な蓋体がヒンジを介して接続されており、上記蓋体の先端に、上記蓋体が上記ゴミ箱部の開口を覆っている状態で上記ゴミ箱部の側部の外面に接触する接触体が接続されていることを特徴とする、本考案のゴミ箱付ティッシュボックスケースによって達成される。
【００１２】
本考案のゴミ箱付ティッシュボックスケースでは、ティッシュボックスケース部とゴミ箱部とが横に並んでおり、ゴミ箱部の開口がティッシュボックスケース部の開口より高い位置に設けられているため、蓋体を開けて使用済みのティッシュペーパーをゴミ箱部に廃棄するのが容易であり、使用済みのティッシュペーパーを廃棄する際の蓋体の開閉は、特許文献２に示された使用中のティッシュボックスをスライド移動させる操作よりも、迅速且つ簡便である。また、蓋体がゴミ箱部の開口を覆っている状態でゴミ箱部の側部の外面又は内面に接触する部材が蓋体の周縁の全体に設けられているのではなく、ゴミ箱部の側部外面に接触するのは蓋体の先端に設けられた接触体だけであるため、蓋体の開閉がしやすい。さらに、蓋体がゴミ箱部の開口を覆っている状態では、接触体がゴミ箱部の側部外面に接触しているため、ゴミ箱部が使用済みのティッシュペーパーで一杯になっても、接触体とゴミ箱部の側部外面との摩擦力により、蓋体がゴミ箱部の上端から離れることがなく、美観や清潔感に優れており、臭気の発生が抑制される。その上、使用済みのティッシュペーパーで一杯になったゴミ箱部から内容物を取り出して再び空にするためには、ゴミ箱部の開口が下方を向くようにするだけで良い。
【００１３】
本考案のゴミ箱付ティッシュボックスケースの好ましい形態では、全体がプラスチックで構成されており、上記ティッシュボックスケース部が、長方形形状を有する底板と、該底板の一対の短辺のうちの一方から上方に向かって上記ティッシュボックスの高さの略２倍の高さまで伸びる長側板と、上記底板の残りの３辺から上方に向かって上記ティッシュボックスの高さと略等しいかこれより低い高さまで伸びる３枚の側板とで形成されており、上記ゴミ箱部が、上記長側板と、上記ティッシュボックスケース部の底板と同一平面内に在り、長方形形状を有し、且つ上記長側板の下辺を長方形の一対の長辺のうちの一方とする底板と、該底板の上記長側板の下辺を除く３辺から上方に向かって上記長側板と同じ高さまで伸びる３枚の側板とで形成されており、上記蓋体が、上記ゴミ箱部の長側板に対向する側板の上端に樹脂ヒンジを介して接続されており、上記接触体が、上記蓋体が上記ゴミ箱部の開口を覆っている状態で上記長側板のティッシュボックスケース部側の面に接触するように構成されている。
【００１４】
この好ましい形態では、ゴミ箱付ティッシュボックスケース全体がプラスチックで構成されているため、ゴミ箱部又は蓋体が汚れたときには洗浄が可能である上に、軽量で安価である。したがって、この好ましい形態のゴミ箱付ティッシュボックスケースは、病気などであまり動けないような場合も使用しやすく、いくつものケースを同時に使用することができる。また、考案者が検討したところ、ゴミ箱部の高さがティッシュボックスの略２倍であると、使用済みのティッシュペーパーの廃棄がしやすく、ティッシュボックスケース部の側板がティッシュボックスの高さと略等しいかこれより低い高さまでしか伸びていないと、ティッシュボックスの交換がしやすく、蓋体がゴミ箱部の長側板に対向する側板の上端に樹脂ヒンジを介して接続されていると、蓋体の開閉操作がしやすいことがわかった。
【考案の効果】
【００１５】
本考案のゴミ箱付ティッシュボックスケースは、蓋体がゴミ箱部の開口を覆っている状態では、ゴミ箱部が使用済みのティッシュペーパーで一杯になっても、蓋体がゴミ箱部の上端から離れることがないため、美観や清潔感に優れ、臭気の発生が抑制される。また、使用済みのティッシュペーパーを廃棄する際の操作が容易であり、使用済みのティッシュペーパーで一杯になったゴミ箱部から内容物を取り出して再び空にするのも容易である。
【図面の簡単な説明】
【００１６】
【図１】本考案の実施の形態のゴミ箱付ティッシュボックスケースの斜視図である。
【図２】図１に示すゴミ箱付ティッシュボックスケースの使用方法を説明した図である。
【考案を実施するための形態】
【００１７】
以下、本考案の実施の形態について、図１及び図２を使用して説明する。図１は、本実施の形態のゴミ箱付ティッシュボックスケースの斜視図であり、図２は、このゴミ箱付ティッシュボックスケースの使用方法を説明した図である。
【００１８】
本考案のゴミ箱付ティッシュボックスケース１は、全体がポリプロピレン、高密度ポリエチレン等のプラスチックで構成されており、使用中のティッシュボックス１００を収容するティッシュボックスケース部１０と、使用済みのティッシュペーパーを収容するゴミ箱部２０とを主要な構成要素として有している。
【００１９】
ティッシュボックスケース部１０は、長方形の底板１１と、底板１１の各辺から上方に向かって伸びる側板１２，１３，１４，１５とで形成されている。底板１１の一対の長辺１１ａ，１１ｂの長さは、ティッシュボックス１００の幅（市販の一般的なティッシュボックスの幅は約２４０ｍｍ）よりわずかに長く設定されており、一対の短辺１１ｃ，１１ｄの長さは、ティッシュボックス１００の奥行き（市販の一般的なティッシュボックスの奥行きは約１２０ｍｍ）よりわずかに長く設定されている。また、また４枚の側板１２，１３，１４，１５のうち、一対の短辺１１ｃ，１１ｄのうちの一方１１ｄから上方に向かって伸びる側板１２は、ティッシュボックス１００の高さ（市販の一般的なティッシュボックスの高さは約５０〜７０ｍｍ）の略２倍の高さまで伸びており、他の３辺１１ａ，１１ｂ，１１ｃから上方に向かって伸びる側板１３，１４，１５は、ティッシュボックスの高さと略等しい高さまで伸びている。他の側板１３，１４，１５より高い位置まで伸びている側板１２を、「長側板」と表す。
【００２０】
使用済みのティッシュペーパーを収容するためのゴミ箱部２０は、ティッシュボックスケース部１０に隣接して設けられており、長方形の底板２１と、底板２１の各辺から上方に向かってティッシュボックス１００の高さの略２倍の高さまで伸びる４枚の側板２２、２３、２４、２５とから形成されている。底板２１は、ティッシュボックスケース部１０の底板１１と同一平面内に在り、４枚の側板２２、２３、２４、２５のうちのティッシュボックスケース部側の側板２２は、長側板１２によって兼ねられている。すなわち、長側板１２の下辺１１ｄは、ゴミ箱部２０の長方形の底板２１の一辺を構成する。側板２２（長側板１２）及びこれに対向する側板２４の幅は、側板２３，２５の幅より長く設定されており、したがって、ゴミ箱付ティッシュボックスケース１を設置するための面積、すなわち、ティッシュボックスケース部１０の底板１１の面積とゴミ箱部２０の底板２１の面積との合計は、ティッシュボックス１００の底面の面積よりわずかに大きくなるだけで済むように設定されている。
【００２１】
ゴミ箱部２０の側板２２（長側板１２），２３，２４，２５のうち、側板２２（長側板１２）と対向する側板２４の上縁には、ゴミ箱部２０の底板２１と略同一形状の蓋体３０が樹脂ヒンジ３１を介して接続されており、蓋体３０によりゴミ箱部２０の開口Ｓの開閉が自在に行われるようになっている。蓋体３０にはさらに、蓋体３０の開閉のために、柔軟な紐状体で形成された把持部３２が設けられている。
【００２２】
蓋体３０の先端３０ａには、接触体３３が設けられている。この接触体３３は、蓋体３０がゴミ箱部２０の開口Ｓを覆っているときに、長側板１２（側板２２）のティッシュボックスケース部側の面１２ａに接触するようになっている（図２参照）。
【００２３】
次に、本実施の形態のゴミ箱付ティッシュボックスケース１の使用方法について説明する。
【００２４】
ゴミ箱付ティッシュボックスケース１の使用者は、ティッシュボックス１００を、ティッシュボックスケース部１０内に、ティッシュペーパー取出口１０１が上方を向くようにして収容し（図２参照）、ティッシュペーパー１０２をティッシュペーパー取出口１０１から引き出して使用する。
【００２５】
そして、蓋体３０に設けられた把持部３２を上方に引き上げ、蓋体３０を樹脂ヒンジ３１の周りで回転させ（図２の仮想線参照）、ゴミ箱部２０の開口Ｓを露出させ、使用済みのティッシュペーパー１０３をゴミ箱部２０の内部に廃棄する。その後、再び蓋体３０でゴミ箱部２０の開口Ｓを覆う。
【００２６】
ゴミ箱部２０が使用済みのティッシュペーパー１０３で一杯になったら、使用者は、一方の手でティッシュボックス１００の上面とティッシュボックスケース部１０の底板１１の裏面とを挟み、他方の手で蓋体３０或いは把持部３２を持ち、ゴミ箱部２０の開口Ｓが下方を向くようにし、ゴミ箱部２０の内部の使用済みのティッシュペーパー１０３を廃棄すれば良い。
【００２７】
また、ティッシュボックス１００が空になったら、空のティッシュボックス１００をティッシュボックスケース部１０から取り出し、新規なティッシュボックスと交換すれば良い。
【００２８】
本実施の形態では、ゴミ箱部２０の高さがティッシュボックス１００の高さの略２倍に設定されているので、使用済みのティッシュペーパー１０３をゴミ箱部２０の内部に廃棄しやすい。また、ティッシュボックスケース部１０の側板１３、１４、１５がティッシュボックス１００の高さと略等しい高さまでしか伸びていないため、ティッシュボックス１００の交換がしやすい。
【００２９】
また、蓋体３０がゴミ箱部２０の開口Ｓを覆っている状態では、長側板１２のティッシュボックスケース部１０側の面１２ａに接触体３３が接触しているため、接触体３３と長側板１２の面１２ａとの間の摩擦力により、ゴミ箱部２０が使用済みのティッシュペーパー１０３で一杯になっても、蓋体３０がゴミ箱部２０の上端から離れることがない。さらに、蓋体３０の先端３０ａにのみ接触体３３が設けられ、蓋体３０の側縁３０ｂにはゴミ箱部２０の側板２３、２５の外面或いは内面と接触可能な別の部材が設けられていないため、蓋体３０の開閉がしやすい。
【００３０】
さらに、全体がプラスチックで構成されているため、軽量で取り扱いやすく、ゴミ箱部２０又は蓋体３０が汚れたときには洗浄が可能であるため衛生的であり、また安価に製造することができる。
【００３１】
以上、本考案の実施形態について説明したが、本考案は上記実施形態に限定されず、本考案の趣旨を逸脱しない範囲での変更が可能である。例えば、ティッシュボックスケース部１０の側板１３、１４、１５の高さは、ティッシュボックス１００の高さより低い高さまでしか伸びていなくても、ティッシュボックス１００がティッシュボックスケース部１０から容易に外れてしまわなければ、問題がない。また、蓋体３０に設けられている把持部３２は、柔軟な紐状体で構成されている必要はなく、硬い取っ手形状であっても良く、接触体３３の外面に把持部３２が設けられていても良い。
【００３２】
さらに、本考案のゴミ箱付ティッシュボックスケースは、プラスチックの他、木材や金属等で構成されていても良い。また、ティッシュボックスケース部１０の底板１１に指を挿入することができる貫通孔を設けると、ティッシュボックス１００が空になった際に、貫通孔に指を挿入して空のティッシュボックス１００を押し上げることができるため、ティッシュボックスの交換がし易くなる。或いは、ティッシュボックスケース部１０の側板１３、１５の上縁に半円状の切欠部を設けると、この切欠部からティッシュボックス１００の側面を指で挟み込むことができるため、空のティッシュボックス１００を取り出しやすくなる。
【符号の説明】
【００３３】
１      ゴミ箱付ティッシュボックスケース
１０    ティッシュボックスケース部
１１    底板
１２    長側板
１３，１４，１５  側板
２０    ゴミ箱部
Ｓ      ゴミ箱部の開口
２１    底板
２２，２３，２４，２５  側板
３０    蓋体
３１    樹脂ヒンジ
３３    接触体
１００  ティッシュボックス
１０１  ティッシュペーパー取出口
１０２  未使用のティッシュペーパー
１０３  使用済みのティッシュペーパー
【図１】
0003151496.tif 000003
【図２】
0003151496.tif 000004